(57)【要約】  無線リンク品質を評価する方法、パラメータ設定方法、装置及びシステムが提供される。無線リンク品質を評価する方法は、端末装置が第一セルにおいて第一参照信号集合の中の下りリンクデータ伝送に関する参照信号に基づいて無線リンク品質（ｒａｄｉｏ  ｌｉｎｋ  ｑｕａｌｉｔｙ）を評価（ａｓｓｅｓｓ）することを含む。これにより、ビーム失敗発生時に、通信システムは、下りリンク信号の伝送を迅速に調整して回復することができる。
2021535650.tif 000002
【特許請求の範囲】
【請求項１】
端末装置に配置される、無線リンク品質を評価する装置であって、
第一セルにおいて、第一参照信号集合の中の下りリンクデータ伝送に関する参照信号に基づいて無線リンク品質を評価するための第一評価ユニットを含む、装置。
【請求項２】
請求項１に記載の装置であって、
前記第一セルは、下りリンク制御チャネルが設定されないセルであり、又は、前記第一セル以外の他のセルの制御信号によりスケジューリングされるセルである、装置。
【請求項３】
請求項１に記載の装置であって、
前記第一参照信号集合は、上位層パラメータにより提供されるビーム失敗検出のための参照信号の集合であり；あるいは
前記第一参照信号集合は、上位層パラメータにより提供されるビーム失敗検出のための参照信号の集合において下りリンクデータ伝送に関する参照信号と疑似コロケーション（ＱＣＬ）される参照信号の集合であり、又は、上位層パラメータにより提供されるビーム失敗検出のための参照信号の集合において下りリンクデータ伝送に関する参照信号と同じ索引（ｉｎｄｅｘ）を有する参照信号の集合である、装置。
【請求項４】
請求項３に記載の装置であって、
前記端末装置に、ビーム失敗検出のための参照信号を指示する上位層パラメータが提供される、装置。
【請求項５】
請求項１に記載の装置であって、
前記第一参照信号集合は、下りリンクデータ伝送に関する参照信号と疑似コロケーション（ＱＣＬ）される参照信号の集合（ｑ）であり、又は、下りリンクデータ伝送に関する参照信号と同じ索引を有する参照信号の集合（ｑ）である、装置。
【請求項６】
請求項５に記載の装置であって、
前記端末装置に、ビーム失敗検出のための参照信号を指示する上位層パラメータが提供されない、装置。
【請求項７】
請求項１に記載の装置であって、
前記下りリンクデータ伝送に関する参照信号は、上位層パラメータにより設定されるＴＣＩ状態リストの中のＴＣＩ状態に対応する参照信号であり、又は、上位層シグナリングにより指示されるＴＣＩ状態に対応する参照信号であり、
あるいは、
端末装置が上位層シグナリングを受信している場合、前記下りリンクデータ伝送に関する参照信号は、前記上位層シグナリングにより指示されるＴＣＩ状態に対応する参照信号であり、端末装置が上位層信号を受信しない場合、前記下りリンクデータ伝送に関する参照信号は、上位層パラメータにより設定されるＴＣＩ状態リストの中のＴＣＩ状態に対応する参照信号であり、
あるいは、
端末装置が上位層シグナリングを受信している場合、前記下りリンクデータ伝送に関する参照信号は、前記上位層シグナリングにより指示されるＴＣＩ状態に対応する参照信号である、装置。
【請求項８】
請求項７前記装置であって、
前記上位層シグナリングにより指示されるＴＣＩ状態とは、前記上位層シグナリングによって下りリンク制御情報（ＤＣＩ）の伝送設定指示域のコードポイント（ｃｏｄｅｐｏｉｎｔ）にマッピングされるＴＣＩ状態を指す、装置。
【請求項９】
請求項７に記載の装置であって、
前記参照信号は、周期的チャネル状態情報参照信号（ＣＳＩ−ＲＳ）であり、あるいは、同期信号／物理ブロードキャストチャネル（ＳＳ／ＰＢＣＨ）である、装置。
【請求項１０】
請求項１に記載の装置であって、
前記第一評価ユニットは、前記参照信号に対しての測定結果と閾値の比較に基づいて無線リンク品質を評価する、装置。
【請求項１１】
請求項１０に記載の装置であって、
前記閾値は第一パラメータ及び第二パラメータに関する閾値であり、前記第一パラメータは同期外れ指示を生成するブロックエラーレート（ＢＬＥＲ）であり、前記第二パラメータはＳＳ／ＰＢＣＨの参照信号受信パワー（ＲＳＲＰ）である、装置。
【請求項１２】
請求項１０に記載の装置であって、
前記閾値は前記参照信号のＬ１層のＲＳＲＰの測定結果と比較するための閾値である、装置。
【請求項１３】
請求項１２に記載の装置であって、
前記参照信号のＬ１層のＲＳＲＰの測定結果は、
ＳＳ／ＰＢＣＨのＬ１層のＲＳＲＰの測定結果；又は
上位層パラメータによりスケーリング（ｓｃａｌｉｎｇ）されたＣＳＩ−ＲＳのＬ１層のＲＳＲＰの測定結果である、装置。
【請求項１４】
請求項１に記載の装置であって、
第二セルにおいて、第二参照信号集合の中の下りリンク制御チャネルに関する参照信号に基づいて無線リンク品質を評価するための第二評価ユニットをさらに含み、
前記第二セルは下りリンク制御チャネルが設定されるセルであり、又は、自セルの制御信号によりスケジューリングされるセルである、装置。
【請求項１５】
ネットワーク装置に配置されるパラメータ設定装置であって、
端末装置のために第一参照信号集合を設定するための第一設定ユニットを含み、
前記端末装置は第一セルにおいて第一参照信号集合の中の下りリンクデータ伝送に関する参照信号に基づいて無線リンク品質を評価し、前記第一セルは下りリンク制御チャネルが設定されないセルであり、又は、前記第一セル以外の他のセルの制御信号によりスケジューリングされるセルである、パラメータ設定装置。
【請求項１６】
請求項１５に記載のパラメータ設定装置であって、
前記第一参照信号集合の設定情報に基づいて、前記端末装置に、対応する参照信号を送信するための第一送信ユニットをさらに含む、パラメータ設定装置。
【請求項１７】
請求項１５に記載のパラメータ設定装置であって、
端末装置のために第二参照信号集合を設定するための第二設定ユニットをさらに含み、
前記端末装置は第二セルにおいて第二参照信号集合の中の下りリンク制御チャネルに関する参照信号に基づいて無線リンク品質を評価し、前記第二セルは下りリンク制御チャネルが設定されるセルであり、又は、自セルの制御信号によりスケジューリングされるセルである、パラメータ設定装置。
【請求項１８】
請求項１７に記載のパラメータ設定装置であって、
前記第二参照信号集合の設定情報に基づいて、前記端末装置に、対応する参照信号を送信するための第二送信ユニットをさらに含む、パラメータ設定装置。
【請求項１９】
請求項１５に記載のパラメータ設定装置であって、
前記参照信号はビーム失敗検出のための参照信号である、パラメータ設定装置。
【請求項２０】
ネットワーク装置及び端末装置を含む通信システムであって、
前記ネットワーク装置は前記端末装置のために第一参照信号集合を設定し、
前記端末装置は第一セルにおいて前記第一参照信号集合の中の下りリンクデータ伝送に関する参照信号に基づいて無線リンク品質を評価し、
前記第一セルは下りリンク制御チャネルが設定されないセルであり、又は、前記第一セル以外の他のセルの制御信号によりスケジューリングされるセルである、通信システム。
【発明の詳細な説明】
【技術分野】
【０００１】
本発明は、通信分野に関し、特に、無線リンク品質を評価する方法、パラメータ設定方法、装置及びシステムに関する。
【背景技術】
【０００２】
ビーム失敗回復技術が主に高周波数通信シナリオに適用され、通信リンクが物理的条件、例えば、天気、障害物、方向角度の変化などのファクターの影響を受けやすいため、元のビームの方向上の伝送の失敗を来すことがある。ビーム失敗回復技術は主にこのようなシナリオに用いられ、異なる方向のビームのパワーに対しての測定結果を利用して、信頼性のある新しいビーム方向を迅速に確定することにより、リンクに対する迅速な回復を実現することができる。ビーム失敗回復技術はシングルキャリアの通信シナリオにおいて非常に有効であるのみならず、マルチキャリアのシナリオにおいて重要な作用を発揮することもできる。或る時刻において、異なるキャリア上の接続について言えば、一部のみのキャリアにビーム失敗が発生する可能性がある。このときに、ビーム失敗回復技術は、このようなシナリオについて、最適化を行い、例えば、ビーム失敗未発生のキャリアを用いてパラメータ測定やデータ伝送を行うことで、システムのロバストネスを向上させる必要がある。
【０００３】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００４】
発明人が次のようなことを発見した。即ち、マルチキャリアのシナリオにおいて、各キャリアに対応する設定がすべで同じではない。図１及び図２に対応する２つの異なるシナリオを例にとって説明を行う。シナリオ１では、図１に示すように、１つのキャリア（サービングセル２）の下りリンクデータ（データ情報）が他のキャリア（サービングセル１）上の対応する制御信号（制御情報）によりスケジューリングされ、言い換えると、前記キャリア（サービングセル２）上で下りリンクデータ信号を受信するリソースが設定されているが、前記キャリア（サービングセル２）は、下りリンク制御信号を受信するリソースが設定されることがない。シナリオ２では、図２に示すように、１つのキャリア（サービングセル１）の下りリンクデータ（データ情報）がこのキャリア上の制御信号（制御情報）によりスケジューリングされ、言い換えれば、１つのキャリア（サービングセル１）は、下りリンク制御信号を受信するリソース及び対応する下りリンクデータ信号を受信するためのリソースが同時に設定されている。しかし、シナリオ１又はシナリオ２におけるサービングセル（図１中のサービングセル２又は図２中のサービングセル１）に対応する下りリンク物理チャネルが急激に変化するときに、ビーム失敗が発生することがあるため、下りリンク信号の正確な受信を行うことができなくなる恐れがある。
【０００５】
上述の問題のうちの少なくとも１つ又は他の類似問題を解決するために、本発明の実施例は、無線リンク品質を評価する方法、パラメータ設定方法、装置及びシステムを提供し、これにより、ビーム失敗発生時に、通信システムは、下りリンク信号の伝送を迅速に調整して回復することができる。
【課題を解決するための手段】
【０００６】
本発明の実施例の第一側面によれば、無線リンク品質を評価する方法が提供され、前記方法は、
端末装置が第一セルにおいて第一参照信号集合の中の下りリンクデータ伝送に関する参照信号に基づいて無線リンク品質（ｒａｄｉｏ  ｌｉｎｋ  ｑｕａｌｉｔｙ）を評価（ａｓｓｅｓｓ）することを含む。
【０００７】
本発明の実施例の第二側面によれば、パラメータ設定方法が提供され、前記方法は、
ネットワーク装置が端末装置のために第一参照信号集合を設定することを含み、
前記端末装置は、第一セルにおいて第一参照信号集合の中の下りリンクデータ伝送に関する参照信号に基づいて無線リンク品質（ｒａｄｉｏ  ｌｉｎｋ  ｑｕａｌｉｔｙ）を評価（ａｓｓｅｓｓ）し、
前記第一セルは、下りリンク制御チャネルが設定されないセルであり、又は、前記第一セル以外の他のセルの制御信号によりスケジューリングされるセルである。
【０００８】
本発明の実施例の第三側面によれば、無線リンク品質を評価する装置が提供され、前記装置は端末装置に配置され、前記装置は、
第一セルにおいて第一参照信号集合の中の下りリンクデータ伝送に関する参照信号に基づいて無線リンク品質を評価するための第一評価ユニットを含む。
【０００９】
本発明の実施例の第四側面によれば、パラメータ設定装置が提供され、前記装置はネットワーク装置に配置され、前記装置は、
端末装置のために第一参照信号集合を設定するための第一設定ユニットを含み、
前記端末装置は、第一セルにおいて第一参照信号集合の中の下りリンクデータ伝送に関する参照信号に基づいて無線リンク品質を評価し、
前記第一セルは、下りリンク制御チャネルが設定されないセルであり、又は、前記第一セル以外の他のセルの制御信号によりスケジューリングされるセルである。
【００１０】
本発明の実施例の第五側面によれば、端末装置が提供され、前記端末装置は前述の第三側面に記載の装置を含む。
【００１１】
本発明の実施例の第六側面によれば、ネットワーク装置が提供され、前記ネットワーク装置は前述の第四側面に記載の装置を含む。
【００１２】
本発明の実施例の第七側面によれば、通信システムが提供され、前記通信システムは前述の第五側面に記載の端末装置及び前述の第六側面に記載のネットワーク装置を含む。
【００１３】
本発明の実施例の他の側面によれば、コンピュータ可読プログラムが提供され、端末装置中で前記プログラムを実行するときに、前記プログラムはコンピュータに、前記端末装置中で前述の第一側面に記載の方法を実行させる。
【００１４】
本発明の実施例の他の側面によれば、コンピュータ可読プログラムを記憶した記憶媒体が提供され、前記コンピュータ可読プログラムはコンピュータに、端末装置中で前述の第一側面に記載の方法を実行させる。
【００１５】
本発明の実施例の他の側面によれば、コンピュータ可読プログラムが提供され、ネットワーク装置中で前記プログラムを実行するときに、前記プログラムはコンピュータに、前記ネットワーク装置中で前述の第二側面に記載の方法を実行させる。
【００１６】
本発明の実施例の他の側面によれば、コンピュータ可読プログラムを記憶した記憶媒体が提供され、前記コンピュータ可読プログラムはコンピュータに、ネットワーク装置中で前述の第二側面に記載の方法を実行させる。
【００１７】
本発明の実施例の有利な効果は次のとおりであり、即ち、端末装置が第一セルにおいて第一参照信号集合の中の下りリンクデータ伝送に関する参照信号に基づいて無線リンク品質（ｒａｄｉｏ  ｌｉｎｋ  ｑｕａｌｉｔｙ）を評価（ａｓｓｅｓｓ）することにより、ビーム失敗発生時に、通信システムは、下りリンク信号の伝送を迅速に調整して回復することができる。
【００１８】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１９】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【００２０】
含まれている図面は、本発明の実施例への更なる理解を提供するために用いられ、これらの図面は、本明細書の一部を構成し、本発明の実施形態を例示し、文字記載とともに本発明の原理を説明するために用いられる。また、明らかのように、以下に記載される図面は、本発明の幾つかの実施例を示すためのものに過ぎず、当業者は、創造性のある労働をせずに、これらの図面に基づいて他の図面を得ることもできる。
【図１】下りリンクデータ情報のみを受信するサービングセルのビーム失敗検出を示す図である。
【図２】下りリンク制御情報を受信するサービングセルのビーム失敗検出を示す図である。
【図３】本発明の実施例における通信システムを示す図である。
【図４】実施例１において無線リンク品質を評価する方法を示す図である。
【図５】実施例２において無線リンク品質を評価する方法を示す図である。
【図６】実施例３におけるパラメータ設定方法を示す図である。
【図７】実施例４において無線リンク品質を評価する装置を示す図である。
【図８】実施例５において無線リンク品質を評価する装置を示す図である。
【図９】実施例６において無線リンク品質を評価する装置を示す図である。
【図１０】実施例７におけるパラメータ設定装置を示す図である。
【図１１】実施例８における端末装置を示す図である。
【図１２】実施例９におけるネットワーク装置を示す図である。
【発明を実施するための形態】
【００２１】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載される実施形態に限定されず、即ち、本発明は、添付した特許請求の範囲内のすべての変更、変形及び代替によるものも含むということである。
【００２２】
本発明の実施例では、用語「通信ネットワーク」又は「無線通信ネットワーク」は、次のような任意の通信規格に準ずるネットワークを指しても良く、例えば、ＬＴＥ（ＬＴＥ、Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＨＳＰＡ（Ｈｉｇｈ−Ｓｐｅｅｄ  Ｐａｃｋｅｔ  Ａｃｃｅｓｓ）などである。
【００２３】
また、通信システムにおける装置間の通信は、任意の段階の通信プロトコルに従って行われても良く、例えば、次のような通信プロトコルを含んでも良いが、それに限定されず、即ち、１Ｇ（ｇｅｎｅｒａｔｉｏｎ）、２Ｇ、２．５Ｇ、２．７５Ｇ、３Ｇ、４Ｇ、４．５Ｇ及び将来の５Ｇ、新無線（ＮＲ、Ｎｅｗ  Ｒａｄｉｏ）など、及び／又は、その他の従来の又は将来開発される通信プロトコルである。
【００２４】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（ＢＳ、Ｂａｓｅ  Ｓｔａｔｉｏｎ）、アクセスポイント（ＡＰ、Ａｃｃｅｓｓ  Ｐｏｉｎｔ）、送受信ポイント（ＴＲＰ、Ｔｒａｎｓｍｉｓｓｉｏｎ  Ｒｅｃｅｐｔｉｏｎ  Ｐｏｉｎｔ）、ブロードキャスト送信機、モバイル管理エンティティ（ＭＭＥ、Ｍｏｂｉｌｅ  Ｍａｎａｇｅｍｅｎｔ  Ｅｎｔｉｔｙ）、ネットワークゲートウェイ、サーバー、無線ネットワーク制御器（ＲＮＣ、Ｒａｄｉｏ  Ｎｅｔｗｏｒｋ  Ｃｏｎｔｒｏｌｌｅｒ）、基地局制御器（ＢＳＣ、Ｂａｓｅ  Ｓｔａｔｉｏｎ  Ｃｏｎｔｒｏｌｌｅｒ）などである。
【００２５】
そのうち、基地局は、次のようなものを含んでも良いが、それに限定されず、即ち、ノードＢ（ＮｏｄｅＢ又はＮＢ）、進化ノードＢ（ｅＮｏｄｅＢ又はｅＮＢ）及び５Ｇ基地局（ｇＮＢ）などであり、さらにＲＲＨ（Ｒｅｍｏｔｅ  Ｒａｄｉｏ  Ｈｅａｄ）、ＲＲＵ（Ｒｅｍｏｔｅ  Ｒａｄｉｏ  Ｕｎｉｔ）、リレー（ｒｅｌａｙ）又は低パワーノード（例えば、ｆｅｍｔｏ、ｐｉｃｏなど）を含んでも良い。また、用語「基地局」は、それらの一部又はすべての機能を含んでも良く、各基地局は、特定の地理的領域に対して通信カバレッジを提供することができる。用語「セル」が指すのは、基地局及び／又はそのカバーする領域であっても良い、これは、該用語のコンテキストによるものである。
【００２６】
本発明の実施例では、用語「ユーザ装置」（ＵＥ、Ｕｓｅｒ  Ｅｑｕｉｐｍｅｎｔ）又は「端末装置」（ＴＥ、Ｔｅｒｍｉｎａｌ  Ｅｑｕｉｐｍｅｎｔ）は、例えば、ネットワーク装置により通信ネットワークにアクセスし、且つネットワークからのサービスを受ける装置を指す。ユーザ装置は、固定したもの又は移動するものであっても良く、また、移動ステーション（ＭＳ、Ｍｏｂｉｌｅ  Ｓｔａｔｉｏｎ）、端末、加入者ステーション（ＳＳ、Ｓｕｂｓｃｒｉｂｅｒ  Ｓｔａｔｉｏｎ）、アクセス端末（ＡＴ、Ａｃｃｅｓｓ  Ｔｅｒｍｉｎａｌ）、ステーションなどとも称される。
【００２７】
そのうち、ユーザ装置は、次のようなものを含んでも良いが、それに限定されず、例えば、携帯電話（Ｃｅｌｌｕｌａｒ  Ｐｈｏｎｅ）、ＰＤＡ（Ｐｅｒｓｏｎａｌ  Ｄｉｇｉｔａｌ  Ａｓｓｉｓｔａｎｔ）、無線モデム、無線通信装置、携帯装置、マシンタイプ通信装置、ラップトップコンピュータ、コードレス電話機、スマートフォン、スマートウォッチ、デジタルカメラなどである。
【００２８】
また、例えば、ＩｏＴ（Ｉｎｔｅｒｎｅｔ  ｏｆ  Ｔｈｉｎｇｓ）などのシナリオでは、ユーザ装置は、さらに、監視又は測定を行うマシン又は装置であっても良く、例えば、次のようなものを含んでも良いが、それに限定されず、即ち、マシンタイプ通信（ＭＴＣ、Ｍａｃｈｉｎｅ  Ｔｙｐｅ  Ｃｏｍｍｕｎｉｃａｔｉｏｎ）端末、車載通信端末、Ｄ２Ｄ（Ｄｅｖｉｃｅ  ｔｏ  Ｄｅｖｉｃｅ）端末、Ｍ２Ｍ（Ｍａｃｈｉｎｅ  ｔｏ  Ｍａｃｈｉｎｅ）端末などである。
【００２９】
また、用語「ネットワーク側」又は「ネットワーク装置側」とは、ネットワークの側を指し、又はる基地局であっても良く、上述のような１つ又は複数のネットワーク装置を含んでも良い。用語「ユーザ側」又は「端末側」又は「端末装置側」とは、ユーザ又は端末の側を指し、又はるＵＥであっても良く、上述のような１つ又は複数の端末装置を含んでも良い。
【００３０】
以下、例を挙げて本発明の実施例におけるシナリオについて説明を行うが、本発明は、これに限られない。
【００３１】
図３は本発明の実施例における通信システムを示す図であり、端末装置及びネットワーク装置を例にとった場合を説明するものである。図３に示すように、通信システム３００はネットワーク装置３０１及び端末装置３０２を含んでも良い。なお、便宜のため、図３では１つのみの端末装置を例にとって説明する。ネットワーク装置３０１は例えば、ＮＲシステムにおけるネットワーク装置ｇＮＢであ。
【００３２】
本発明の実施例では、ネットワーク装置３０１と端末装置３０２との間は、従来のトラフィック又は将来実施可能なトラフィックを行っても良い。これらのトラフィックは、例えば、ｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎ）などを含んでも良いが、これに限定されない。
【００３３】
端末装置３０２はネットワーク装置３０１にデータを送信することができ、例えば、グラントフリーの伝送方式で送信しても良い。ネットワーク装置３０１は１つ又は複数の端末装置３０２が送信するデータを受信し、また、端末装置３０２に情報（例えば、確認ＡＣＫ／非確認ＮＡＣＫ）をフィードバックすることができる。端末装置３０２は、フィードバック情報に基づいて伝送プロセスの終了を確認し、又は、新しいデータの伝送を行い、又は、データの再送を行うことができる。
【００３４】
以下、図面を参照しながら本発明の実施例について詳しく説明する。
【実施例１】
【００３５】
本実施例では無線リンク品質を評価する方法が提供され、該方法は端末装置に応用される。図４は本実施例において無線リンク品質を評価する方法を示す図である。図４に示すように、該方法は以下のようなステップを含む。
【００３６】
ステップ４０１：端末装置が第一セルにおいて、第一参照信号集合の中の下りリンクデータ伝送に関する参照信号に基づいて無線リンク品質（ｒａｄｉｏ  ｌｉｎｋ  ｑｕａｌｉｔｙ）を評価（ａｓｓｅｓｓ）する。
【００３７】
本実施例では、上述の第一セルは下りリンク制御チャネルが設定されないセルであり、又は、前記第一セル以外の他のセルの制御信号によりスケジューリングされるセルである。言い換えると、該第一セルは図１に示すシナリオにおけるサービングセル２であっても良く、該シナリオでは、端末装置は該第一セルにおいて第一参照信号集合の中の下りリンクデータ伝送に関する参照信号に基づいて無線リンク品質を評価することができる。これにより、ビーム失敗発生時に、端末装置は依然として無線リンク品質を評価することができる。そのため、通信システムは、下りリンク信号の伝送を迅速に調整して回復することができる。
【００３８】
ここで、第一参照信号集合について以下のように説明する。
【００３９】
１つの実施方において、上述の第一参照信号集合は上位層パラメータ（例えば、ｆａｉｌｕｒｅＤｅｔｅｃｔｉｏｎＲｅｓｏｕｒｃｅｓ）により提供される、ビーム失敗検出のための参照信号の集合（ｑ０）であっても良い。本実施例では、参照信号集合は例えば、参照信号の索引（ｉｎｄｅｘ）の集合であり、参照信号を指示するために用いられるが、本実施例はこれに限定されず、参照信号集合は参照信号を指示するための他の形式の情報の集合であっても良い。
【００４０】
もう１つの実施方式において、上述の第一参照信号集合は上述の集合ｑ０の１つのサブセット（部分集合）であっても良い。例えば、上述の第一参照信号集合は上述の集合ｑ０の中の、下りリンクデータ伝送に関する参照信号と疑似コロケーション（ＱＣＬ、Ｑｕａｓｉ  ｃｏ−ｌｏｃａｔｅｄ又はＱｕａｓｉ−ｃｏｌｌｏｃａｔｉｏｎ）される参照信号の集合（ｑ１）であっても良く、又は、上述の集合ｑ０の中の、下りリンクデータ伝送に関する参照信号と同じ索引を有する参照信号の集合（ｑ２）であっても良い。
【００４１】
本実施例では、端末装置に、ビーム失敗検出のための参照信号を指示する上位層パラメータ、例えば、ｆａｉｌｕｒｅＤｅｔｅｃｔｉｏｎＲｅｓｏｕｒｃｅｓが提供される場合、端末装置は、前述のｑ０あるいはｑ０のサブセットｑ１又はｑ２を上述の第一参照信号集合とし、上述のｑ０あるいはｑ１又はｑ２の中の下りリンクデータ伝送に関する参照信号を用いて無線リンク品質を評価することができる。
【００４２】
本実施例では、端末装置に、ビーム失敗検出のための参照信号を指示する上位層パラメータが提供されない場合、端末装置は、直接、下りリンクデータ伝送に関する参照信号と疑似コロケーション（ＱＣＬ）される参照信号の集合（ｑ３）を上述の第一参照信号集合とし、又は、直接、下りリンクデータ伝送に関する参照信号と同じ索引を有する参照信号の集合（ｑ４）を上述の第一参照信号集合とし、上述のｑ３又はｑ４の中の下りリンクデータ伝送に関する参照信号を用いて無線リンク品質を評価しても良い。
【００４３】
ここで、下りリンクデータ伝送に関する参照信号について以下のように説明する。
【００４４】
１つの実施方において、下りリンクデータ伝送に関する参照信号は、上位層パラメータ（例えば、ＲＲＣシグナリングにより提供されるパラメータ）により設定される伝送設定指示（ＴＣＩ、Ｔｒａｎｓｍｉｓｓｉｏｎ  Ｃｏｎｆｉｇｕｒａｔｉｏｎ  Ｉｎｄｉｃａｔｉｏｎ）状態リストの中のＴＣＩ状態に対応する参照信号であっても良い。
【００４５】
本実施方式では、ネットワーク装置は上位層パラメータにより端末装置のためにＴＣＩ状態リスト、例えば、ｔｃｉ−ＳｔａｔｅｓＴｏＡｄｄＭｏｄＬｉｓｔ又はｔｃｉ−ＳｔａｔｅｓＴｏＲｅｌｅａｓｅＬｉｓｔを設定している。該ＴＣＩ状態リストは一連のＴＣＩ状態（例えば、ＴＣＩ−Ｓｔａｔｅ）を含み、該ＴＣＩ状態は、下りリンク参照信号（ＤＬ  ＲＳｓ  ｉｎ  ｏｎｅ  ＲＳ  ｓｅｔ）と下りリンクデータチャネルのＤＭＲＳポート（ＰＤＳＣＨ  ＤＭＲＳ  ｐｏｒｔｓ）の間のＱＣＬ関係を指示する。端末装置は上述の第一セルにおいて上述のＴＣＩ状態リストにおける少なくとも１つのＴＣＩ状態に対応する参照信号を用いて無線リンク品質を評価することができる。
【００４６】
もう１つの実施方式において、下りリンクデータ伝送に関する参照信号は上位層シグナリングにより指示されるＴＣＩ状態に対応する参照信号であっても良い。
【００４７】
本実施方式では、ネットワーク装置はさらに、上述の第一セルに作用する上位層シグナリング（例えば、ＭＡＣ  ＣＥアクティベイト命令、即ち、ＴＣＩ状態アクティベイト／ディアクティベイト用のＭＡＣ  ＣＥシグナリング）を用いて、上述の第一セルの（アクティブなＢＷＰ上又は他の特定のＢＷＰ上の）上位層パラメータにより設定されるＴＣＩ状態リスト（例えば、ｔｃｉ−ＳｔａｔｅｓＴｏＡｄｄＭｏｄＬｉｓｔ又はｔｃｉ−ＳｔａｔｅｓＴｏＲｅｌｅａｓｅＬｉｓｔ）の中で１つ又は複数のＴＣＩ状態（例えば、ＴＣＩ−ｓｔａｔｅ）を指示しても良い。端末装置は上述の第一セルにおいて上述のＴＣＩ状態に対応する参照信号を使用して無線リンク品質を評価することができる。
【００４８】
本実施方式では、前記上位層シグナリングにより指示されるＴＣＩ状態とは、前記上位層シグナリングにより下りリンク制御情報（ＤＣＩ）の伝送設定指示域（ｆｉｅｌｄ）のコードポイント（ｃｏｄｅｐｏｉｎｔ）にマッピングされるＴＣＩ状態を指す。言い換えると、上位層シグナリングは次のような方式で１つ又は複数のＴＣＩ状態を指示することができ、即ち、上述の上位層シグナリングは、上述のＴＣＩ状態リストの全部又は一部のＴＣＩ状態をＤＣＩの伝送設定指示域のコードポイントにマッピングする。例えば、該コードポイントの個数が８つであっても良く、この場合、対応するＤＣＩの伝送設定指示域は３ビットである。上述の、ＤＣＩの伝送設定指示域のコードポイントにマッピングされるＴＣＩ状態は、上述の上位層シグナリングにより指示されるＴＣＩ状態である。
【００４９】
もう１つの実施方式において、端末装置が上位層シグナリングを受信している場合、下りリンクデータ伝送に関する参照信号は、前記上位層シグナリングにより指示されるＴＣＩ状態に対応する参照信号であっても良い。
【００５０】
本実施方式では、端末装置がネットワーク装置からの上位層シグナリングを受信している場合、端末装置は、上述の第一セルの中で上述の上位層シグナリングにより指示されるＴＣＩ状態に対応する参照信号を用いて無線リンク品質を評価することができ、即ち、前述の第２種類の方式で無線リンク品質の評価を行う。
【００５１】
もう１つの実施方式において、端末装置が上位層シグナリングを受信している場合、下りリンクデータ伝送に関する参照信号は前記上位層シグナリングにより指示されるＴＣＩ状態に対応する参照信号であっても良い。端末装置が上位層シグナリングを受信しない場合、下りリンクデータ伝送に関する参照信号は、上位層パラメータにより設定されるＴＣＩ状態リストにおけるＴＣＩ状態に対応する参照信号であっても良い。
【００５２】
本実施方式では、端末装置がネットワーク装置からの上位層シグナリングを受信している場合、端末装置は、上述の第一セルにおいて前記上位層シグナリングにより指示されるＴＣＩ状態に対応する参照信号を用いて無線リンク品質を評価することができ、即ち、前述の第２種類の方式で無線リンク品質の評価を行う。端末装置がネットワーク装置からの上位層シグナリングを受信しない場合、端末装置は、上述の第一セルの中で上述のＴＣＩ状態リストにおける少なくとも１つのＴＣＩ状態に対応する参照信号を用いて無線リンク品質を評価することができ、即ち、前述の第１種類の方式で無線リンク品質の評価を行う。
【００５３】
本実施例では、参照信号は周期性のチャネル状態情報参照信号（ＣＳＩ−ＲＳ）であっても良く、同期信号／物理ブロードキャストチャネル（ＳＳ／ＰＢＣＨ）ブロックであっても良い。参照信号は半持続（ｓｅｍｉ−ｐｅｒｓｉｓｔｅｎｔ）又は非周期的チャネル状態情報参照信号（ＣＳＩ−ＲＳ）であっても良いが、本実施例はこれに限定されない。
【００５４】
本実施例では、無線リンク品質の評価に関して、端末装置は上述の第一参照信号集合の中の下りリンクデータ伝送に関する参照信号に対しての測定結果と閾値の比較に基づいて無線リンク品質を評価することができる。
【００５５】
１つの実施方において、該閾値は第一パラメータ及び第二パラメータに関する閾値であっても良い。ここで、第一パラメータは同期外れ（ｏｕｔ−ｏｆ−ｓｙｎｃ、ＯＯＳ）指示を生成するブロックエラーレート（ＢＬＥＲ）であり、第二パラメータはＳＳ／ＰＢＣＨの参照信号受信パワー（ＲＳＲＰ）である。
【００５６】
本実施方式では、上述の参照信号に対しての測定結果と該閾値の比較に基づいて、無線リンク品質を評価することができる。本実施例は具体的な評価方法について限定しない。また、本実施方式では、該閾値により、ＵＥは、閾値を満たす同期信号ブロック（ＳＳ  ｂｌｏｃｋ）に基づいてＳＳ  ｂｌｏｃｋ及び対応するＰＲＡＣＨリソースをパスロス推定及び伝送（重伝）のために選択することができる。
【００５７】
もう１つの実施方式において、該閾値は上述の参照信号のＬ１層のＲＳＲＰの測定結果と比較するための閾値であっても良い。
【００５８】
本実施方式では、該閾値は、ネットワーク装置が上位層シグナリングにより設定するものであっても良いが、本実施例はこれに限定されない。
【００５９】
本実施方式では、該参照信号のＬ１層のＲＳＲＰの測定結果はＳＳ／ＰＢＣＨのＬ１層のＲＳＲＰの測定結果であっても良く、上位層パラメータによりスケーリングされた（ａｆｔｅｒ  ｓｃａｌｉｎｇ）ＣＳＩ−ＲＳリソースのＬ１層のＲＳＲＰの測定結果であっても良いが、本実施例はこれに限定されない。
【００６０】
本実施方式では、上述の上位層パラメータは、非ゼロパワーのＣＳＩ−ＲＳ（ＮＺＰ  ＣＳＩ−ＲＳ、ｎｏｎ−ｚｅｒｏ  ｐｏｗｅｒ  ＣＳＩ−ＲＳ）リソースユニット（ｒｅｓｏｕｒｃｅ  ｅｌｅｍｅｎｔ）と同期信号リソースユニットのパワーの差を示すパラメータ、例えば、ｐｏｗｅｒＣｏｎｔｒｏｌＯｆｆｓｅｔＳＳであっても良いが、本実施例はこれに限定されない。
【００６１】
本実施例の方法により、下りリンク制御チャネルが設定されないセル（第一セル）、又は、他のセルの制御信号によりスケジューリングされるセル（第一セル）において、端末装置は、該第一セルの中で第一参照信号集合における下りリンクデータ伝送に関する参照信号に基づいて無線リンク品質を評価することができる。これにより、ビーム失敗発生時に、端末装置が依然として無線リンク品質を評価することができるため、通信システムは、下りリンク信号の伝送を迅速に調整して回復することができる。
【実施例２】
【００６２】
本実施例では無線リンク品質を評価する方法が提供され、該方法は端末装置に応用される。図５は本実施例において無線リンク品質を評価する方法を示す図である。図５に示すように、該方法は以下のようなステップを含む。
【００６３】
ステップ５０１：端末装置が第二セルにおいて、第二参照信号集合の中の下りリンク制御チャネルに関する参照信号に基づいて無線リンク品質を評価する。
【００６４】
本実施例では、上述の第二セルは、下りリンク制御チャネルが設定されるセルであり、又は、自セル（ｏｗｎ  ｃｅｌｌ）の制御信号によりスケジューリングされるセルである。言い換えると、該第二セルは図２に示すシナリオにおけるサービングセル１であっても良く、該シナリオでは、端末装置は、該第二セルにおいて第二参照信号集合の中の下りリンク制御チャネルに関する参照信号に基づいて無線リンク品質を評価することができる。これにより、ビーム失敗発生時に、端末装置が依然として無線リンク品質を評価することができるため、通信システムは、下りリンク信号の伝送を迅速に調整して回復することができる。
【００６５】
ここで、第二参照信号集合について以下のように説明する。
【００６６】
１つの実施方において、第二参照信号集合は上位層パラメータ（例えば、ｆａｉｌｕｒｅＤｅｔｅｃｔｉｏｎＲｅｓｏｕｒｃｅｓ）により提供される、ビーム失敗検出のための参照信号の集合（ｑ０）であっても良い。本実施例では、参照信号集合は例えば、参照信号の索引の集合であり、参照信号を指示するために用いられるが、本実施例はこれに限られず、参照信号集合はさらに、参照信号を指示するための他の形式の情報の集合であっても良い。
【００６７】
もう１つの実施方式において、第二参照信号集合は上述の集合ｑ０の１つのサブセットであっても良い。例えば、上述の第二参照信号集合は上述の集合ｑ０において下りリンク制御チャネルに関する参照信号とＱＣＬされる参照信号の集合ｑ１’であっても良く、又は、上述の集合ｑ０において下りリンク制御チャネルに関する参照信号と同じ索引を有する参照信号の集合ｑ２’であっても良い。
【００６８】
本実施例では、端末装置に、ビーム失敗検出のための参照信号を指示する上位層パラメータ、例えば、ｆａｉｌｕｒｅＤｅｔｅｃｔｉｏｎＲｅｓｏｕｒｃｅｓが提供されている場合、端末装置は前述のｑ０あるいはｑ０のサブセットｑ１’又はｑ２’を上述の第二参照信号集合とし、上述のｑ０あるいはｑ１’又はｑ２’の中の下りリンク制御チャネルに関する参照信号を用いて無線リンク品質を評価することができる。
【００６９】
本実施例では、端末装置に、ビーム失敗検出のための参照信号を指示する上位層パラメータが提供されない場合、端末装置は直接、下りリンク制御チャネルに関する参照信号と疑似コロケーション（ＱＣＬ）される参照信号の集合（ｑ３’）を上述の第二参照信号集合とし、又は、直接、下りリンク制御チャネルに関する参照信号と同じ索引を有する参照信号の集合（ｑ４’）を上述の第二参照信号集合とし、上述のｑ３’又はｑ４’の中の下りリンク制御チャネルに関する参照信号を使用して無線リンク品質を評価することができる。
【００７０】
ここで、下りリンク制御チャネルに関する参照信号について以下のように説明する。
【００７１】
１つの実施方において、下りリンク制御チャネルに関する参照信号は端末装置が制御チャネルをモニタリングするに使用するＤＭ−ＲＳであっても良い。
【００７２】
本実施方式では、端末装置は上述の第二セルにおいて上述のＤＭ−ＲＳを用いて無線リンク品質を評価することができる。
【００７３】
もう１つの実施方式において、下りリンク制御チャネルに関する参照信号は端末装置が制御チャネルをモニタリングするに使用するＣＯＲＥＳＥＴに対応するＴＣＩ状態により指示される参照信号であっても良い。
【００７４】
本実施方式では、端末装置は、上述の第二セルの中で制御チャネルをモニタリングするに使用するＣＯＲＥＳＥＴに対応するＴＣＩ状態により指示される参照信号を用いて無線リンク品質を評価することができる。
【００７５】
本実施例では、参照信号は周期性のチャネル状態情報参照信号（ＣＳＩ−ＲＳ）であっても良い、同期信号／物理ブロードキャストチャネル（ＳＳ／ＰＢＣＨ）ブロックであっても良いが、本実施例はこれに限定されない。
【００７６】
本実施例では、無線リンク品質の評価に関して、端末装置は、上述の第二参照信号集合の中の下りリンク制御チャネルに関する参照信号に対しての測定結果と閾値の比較に基づいて無線リンク品質を評価することができる。
【００７７】
１つの実施方において、該閾値は第一パラメータ及び第二パラメータに関する閾値であっても良い。ここで、第一パラメータは同期外れ（ｏｕｔ−ｏｆ−ｓｙｎｃ、ＯＯＳ）指示を生成するブロックエラーレート（ＢＬＥＲ）であり、第二パラメータはＳＳ／ＰＢＣＨの参照信号受信パワー（ＲＳＲＰ）である。
【００７８】
本実施方式では、上述の参照信号に対しての測定結果と該閾値の比較に基づいて、無線リンク品質を評価することができる。本実施例は具体的な評価方法について限定しない。また、本実施方式では、該閾値により、ＵＥは、閾値を満たす同期信号ブロック（ＳＳ  ｂｌｏｃｋ）に基づいて、ＳＳ  ｂｌｏｃｋ及び対応するＰＲＡＣＨリソースをパスロス推定及び伝送（重伝）のために選ぶこともできる。
【００７９】
もう１つの実施方式において、該閾値は上述の参照信号のＬ１層のＲＳＲＰの測定結果と比較するための閾値であっても良い。
【００８０】
本実施方式では、該閾値はネットワーク装置が上位層シグナリングにより設定するものであっても良いが、本実施例はこれに限定されない。
【００８１】
本実施方式では、該参照信号のＬ１層のＲＳＲＰの測定結果はＳＳ／ＰＢＣＨのＬ１層のＲＳＲＰの測定結果であっても良く、上位層パラメータによりスケーリングされた（ａｆｔｅｒ  ｓｃａｌｉｎｇ）ＣＳＩ−ＲＳリソースのＬ１層のＲＳＲＰの測定結果であっても良いが、本実施例はこれに限定されない。
【００８２】
本実施方式では、上述の上位層パラメータは、非ゼロパワーのＣＳＩ−ＲＳ（ＮＺＰ  ＣＳＩ−ＲＳ）リソースユニット（ＲＥ、Ｒｅｓｏｕｒｃｅ  Ｅｌｅｍｅｎｔ）と同期信号リソースユニット（ＳＳ  ＲＥ）のパワーの差を示すパラメータ、例えば、ｐｏｗｅｒＣｏｎｔｒｏｌＯｆｆｓｅｔＳＳであっても良いが、本実施例はこれに限定されない。
【００８３】
本実施例の方法により、下りリンク制御チャネルが設定されるセル（第二セル）、又は、自セルの制御信号によりスケジューリングされるセル（第二セル）において、端末装置は、該第二セルの中で第二参照信号集合における下りリンク制御チャネルに関する参照信号を用いて無線リンク品質を評価することができる。これにより、ビーム失敗発生時に、端末装置が依然として無線リンク品質を評価することができるため、通信システムは、下りリンク信号の伝送を迅速に調整して回復することができる。
【００８４】
なお、上述の実施例１及び実施例２では、それぞれ、端末装置が第一セル及び第二セルにおいて無線リンク品質の評価を行うことを説明したが、上述の２つの実施例は組み合わせて使用されても良く、単独で使用されても良いが、本発明はこれについて限定しない。
【実施例３】
【００８５】
本実施例ではパラメータ設定方法が提供され、該方法はネットワーク装置に応用され、実施例１及び実施例２に係る方法に対応するネットワーク側の処理である。そのため、ここでは、実施例１及び実施例２と同じ内容の重複説明が省略される。図６は本実施例におけるパラメータ設定方法を示す図である。図６に示すように、該方法は以下のようなステップを含む。
【００８６】
ステップ６０１：ネットワーク装置が端末装置のために第一参照信号集合を設定し、前記端末装置は第一セルにおいて第一参照信号集合の中の下りリンクデータ伝送に関する参照信号に基づいて無線リンク品質（ｒａｄｉｏ  ｌｉｎｋ  ｑｕａｌｉｔｙ）を評価（ａｓｓｅｓｓ）し、前記第一セルは下りリンク制御チャネルが設定されないセルであり、又は、前記第一セル以外の他のセルの制御信号によりスケジューリングされるセルである。
【００８７】
本実施例では、ステップ６０１は実施例１の方法に対応し、ネットワーク装置は端末装置のために上述の第一参照信号集合を設定する。これにより、端末装置は第一セルにおいて実施例１の方法により無線リンク品質を評価することができる。このようにして、上述の第一セルにビーム失敗が発生した場合、端末装置が無線リンク品質を評価することができない問題を解決することができる。
【００８８】
本実施例では、ネットワーク装置はさらに、上述の第一参照信号集合の設定情報に基づいて、端末装置に、対応する参照信号を送信しても良い。これにより、端末装置は実施例１の方法に基づいて、対応する参照信号を用いて無線リンク品質の評価を行うことができる。
【００８９】
本実施例では、図６に示すように、該方法はさらに、以下のようなステップを含んでも良い。
【００９０】
ステップ６０２：ネットワーク装置が端末装置のために第二参照信号集合を設定し、前記端末装置は第二セルにおいて第二参照信号集合の中の下りリンク制御チャネルに関する参照信号を用いて無線リンク品質を評価し、前記第二セルは下りリンク制御チャネルが設定されるセルであり、又は、自セルの制御信号によりスケジューリングされるセルである。
【００９１】
本実施例では、ステップ６０２は実施例２の方法に対応し、ネットワーク装置は端末装置のために上述の第二参照信号集合を設定する。これにより、端末装置は第二セルにおいて実施例２の方法に従って無線リンク品質を評価することができる。このようにして、上述の第二セルにビーム失敗が発生したときに、端末装置が無線リンク品質を評価することができない問題を解決することができる。
【００９２】
本実施例では、ネットワーク装置はさらに、上述の第二参照信号集合の設定情報に基づいて、端末装置に、対応する参照信号を送信しても良い。これにより、端末装置は、実施例２の方法に基づいて、対応する参照信号を用いて無線リンク品質の評価を行うことができる。
【００９３】
本実施例では、上述の参照信号は、（ｆｏｒ  ｔｈｅ  ｐｕｒｐｏｓｅ  ｏｆ）ビーム失敗検出のための参照信号である。実施例１及び実施例２において該参照信号について詳細に説明したので、その内容はここに合併され、ここではその詳しい説明を省略する。
【００９４】
なお、図６では、ステップ６０１及びステップ６０２が同時に示されているが、具体的な実施に当たって、ステップ６０１及びステップ６０２はそれぞれ実行されても良く、一緒に実行されても良いが、本実施例はこれについて限定しない。また、本実施例は、ステップ６０１及びステップ６０２の実行順序についても限定せず、両ステップは順次実行されても良く、並列実行されても良い。
【実施例４】
【００９５】
本実施例では無線リンク品質を評価する装置が提供され、前記装置は端末装置に配置される。該装置が問題を解決する原理が実施例１の方法と類似したので、その具体的な実施については実施例１の方法の実施を参照することができる。そのため、ここでは内容が同じである重複説明が省略される。
【００９６】
図７は本実施例において無線リンク品質を評価する装置を示す図である。図７に示すように、該無線リンク品質を評価する装置７００は第一評価ユニット７０１を含み、それは第一セルにおいて第一参照信号集合の中の下りリンクデータ伝送に関する参照信号を用いて無線リンク品質（ｒａｄｉｏ  ｌｉｎｋ  ｑｕａｌｉｔｙ）を評価（ａｓｓｅｓｓ）する。
【００９７】
本実施例では、前記第一セルは下りリンク制御チャネルが設定されないセルであり、又は、前記第一セル以外の他のセルの制御信号によりスケジューリングされるセルである。
【００９８】
１つの実施方において、第一参照信号集合は、上位層パラメータにより提供されるビーム失敗検出のための参照信号の集合（ｑ０）であり；又は、上位層パラメータにより提供されるビーム失敗検出のための参照信号の集合（ｑ０）の中の、下りリンクデータ伝送に関する参照信号と疑似コロケーション（ＱＣＬ）される参照信号の集合（ｑ１）であり；又は、上位層パラメータにより提供されるビーム失敗検出のための参照信号の集合（ｑ０）の中の、下りリンクデータ伝送に関する参照信号と同じ索引を有する参照信号の集合（ｑ２）である。
【００９９】
もう１つの実施方式において、第一参照信号集合は、下りリンクデータ伝送に関する参照信号と疑似コロケーション（ＱＣＬ）される参照信号の集合（ｑ３）であり、又は、下りリンクデータ伝送に関する参照信号と同じ索引を有する参照信号の集合（ｑ４）である。
【０１００】
１つの実施方において、端末装置に、ビーム失敗検出のための参照信号を指示する上位層パラメータが提供される場合、上述のｑ０あるいはｑ１又はｑ２を上述の第一参照信号集合とし、上述の第一セルにおいて該集合（ｑ０あるいはｑ１又はｑ２）の中の下りリンクデータ伝送に関する参照信号を用いて無線リンク品質を評価する。端末装置に、ビーム失敗検出のための参照信号を指示する上位層パラメータが提供されない場合、上述のｑ３又はｑ４を上述の第一参照信号集合とし、上述の第一セルにおいて該集合（ｑ３又はｑ４）の中の下りリンクデータ伝送に関する参照信号を用いて無線リンク品質を評価する。
【０１０１】
本実施例では、下りリンクデータ伝送に関する参照信号は、上位層パラメータにより設定されるＴＣＩ状態リストの中のＴＣＩ状態に対応する参照信号であり；又は、上位層シグナリングにより指示されるＴＣＩ状態に対応する参照信号である。あるいは、端末装置が上位層シグナリングを受信している場合、前記下りリンクデータ伝送に関する参照信号は、前記上位層シグナリングにより指示されるＴＣＩ状態に対応する参照信号であり、そうでない場合、前記下りリンクデータ伝送に関する参照信号は、上位層パラメータにより設定されるＴＣＩ状態リストの中のＴＣＩ状態に対応する参照信号である。あるいは、端末装置が上位層シグナリングに受信している場合、前記下りリンクデータ伝送に関する参照信号は、前記上位層シグナリングにより指示されるＴＣＩ状態に対応する参照信号である。
【０１０２】
本実施例では、参照信号は周期性のチャネル状態情報参照信号（ＣＳＩ−ＲＳ）、又は、同期信号／物理ブロードキャストチャネル（ＳＳ／ＰＢＣＨ）であり；参照信号は、半持続又は非周期的チャネル状態情報参照信号（ＣＳＩ−ＲＳ）であっても良い。
【０１０３】
本実施例では、第一評価ユニット７０１は、前記参照信号に対しての測定結果と閾値の比較に基づいて、無線リンク品質を評価することができる。
【０１０４】
１つの実施方において、閾値は第一パラメータ及び第二パラメータに関する閾値であっても良くであって、そのうち、前記第一パラメータは同期外れ指示を生成するブロックエラーレート（ＢＬＥＲ）であり、前記第二パラメータはＳＳ／ＰＢＣＨの参照信号受信パワー（ＲＳＲＰ）である。
【０１０５】
もう１つの実施方式において、閾値は前記参照信号のＬ１層のＲＳＲＰの測定結果と比較するための閾値であっても良い。該実施方式では、該参照信号のＬ１層のＲＳＲＰの測定結果は、ＳＳ／ＰＢＣＨのＬ１層のＲＳＲＰの測定結果であっても良く；上位層パラメータによりスケーリングされたＣＳＩ−ＲＳのＬ１層のＲＳＲＰの測定結果であっても良い。
【０１０６】
本実施例の装置により、端末装置は第一セルの中で第一参照信号集合における下りリンクデータ伝送に関する参照信号に基づいて無線リンク品質を評価することができる。これにより、ビーム失敗発生時に、端末装置が依然として無線リンク品質を評価することができるため、通信システムは、下りリンク信号の伝送を迅速に調整して回復することができる。
【実施例５】
【０１０７】
本実施例では無線リンク品質を評価する装置が提供され、前記装置は端末装置に配置される。該装置が問題を解決する原理が実施例２の方法と同様であるので、その具体的な実施については実施例２の方法の実施を参照することができる。そのため、ここでは内容が同じである重複説明を省略する。
【０１０８】
図８は本実施例において無線リンク品質を評価する装置を示す図である。図８に示すように、該無線リンク品質を評価する装置８００は第二評価ユニット８０１を含み、それは第二セルの中で第二参照信号集合における下りリンク制御チャネルに関する参照信号を用いて無線リンク品質（ｒａｄｉｏ  ｌｉｎｋ  ｑｕａｌｉｔｙ）を評価（ａｓｓｅｓｓ）する。
【０１０９】
本実施例では、前記第二セルは下りリンク制御チャネルが設定されるセルであり、又は、自セルの制御信号によりスケジューリングされるセルである。
【０１１０】
１つの実施方において、第二参照信号集合は、上位層パラメータにより提供されるビーム失敗検出のための参照信号の集合（ｑ０）であり；又は、上位層パラメータにより提供されるビーム失敗検出のための参照信号の集合（ｑ０）において、下りリンク制御チャネルに関する参照信号と疑似コロケーション（ＱＣＬ）される参照信号の集合（ｑ１’）であり；又は、上位層パラメータにより提供されるビーム失敗検出のための参照信号の集合（ｑ０）において、下りリンク制御チャネルに関する参照信号と同じ索引を有する参照信号の集合（ｑ２’）である。
【０１１１】
もう１つの実施方式において、第二参照信号集合は、下りリンク制御チャネルに関する参照信号と疑似コロケーション（ＱＣＬ）される参照信号の集合（ｑ３’）であり、又は、下りリンク制御チャネルに関する参照信号と同じ索引を有する参照信号の集合（ｑ４’）である。
【０１１２】
１つの実施方において、端末装置に、ビーム失敗検出のための参照信号を指示する上位層パラメータが提供される場合、上述のｑ０あるいはｑ１’又はｑ２’を上述の第二参照信号集合とし、上述の第二セルにおいて該集合（ｑ０あるいはｑ１’又はｑ２’）の中の下りリンク制御チャネルに関する参照信号に基づいて無線リンク品質を評価する。端末装置に、ビーム失敗検出のための参照信号を指示する上位層パラメータが提供されない場合、上述のｑ３’又はｑ４’を上述の第二参照信号集合とし、上述の第二セルにおいて該集合（ｑ３’又はｑ４’）における下りリンク制御チャネルに関する参照信号に基づいて無線リンク品質を評価する。
【０１１３】
本実施例では、下りリンク制御チャネルに関する参照信号は、端末装置が制御チャネルを監視するに使用するＤＭ−ＲＳであっても良く、又は、端末装置が制御チャネルを監視するに使用するＣＯＲＥＳＥＴに対応するＴＣＩ状態により指示される参照信号であっても良い。
【０１１４】
本実施例では、参照信号は周期性のチャネル状態情報参照信号（ＣＳＩ−ＲＳ）又は同期信号／物理ブロードキャストチャネル（ＳＳ／ＰＢＣＨ）であっても良く；参照信号は半持続又は非周期的チャネル状態情報参照信号（ＣＳＩ−ＲＳ）であっても良い。
【０１１５】
本実施例では、第二評価ユニット８０１は前記参照信号に対しての測定結果と閾値の比較に基づいて無線リンク品質を評価することができる。
【０１１６】
１つの実施方において、閾値は第一パラメータ及び第二パラメータに関する閾値であっても良くであって、そのうち、前記第一パラメータは同期外れ指示を生成するブロックエラーレート（ＢＬＥＲ）であり、前記第二パラメータはＳＳ／ＰＢＣＨの参照信号受信パワー（ＲＳＲＰ）である。
【０１１７】
もう１つの実施方式において、閾値は前記参照信号のＬ１層のＲＳＲＰの測定結果と比較するための閾値であっても良い。該実施方式では、該参照信号のＬ１層のＲＳＲＰの測定結果は、ＳＳ／ＰＢＣＨのＬ１層のＲＳＲＰの測定結果であっても良く、上位層パラメータによりスケーリングされたＣＳＩ−ＲＳのＬ１層のＲＳＲＰの測定結果であっても良い。
【０１１８】
本実施例の装置により、端末装置は第二セルにおいて第二参照信号集合の中の下りリンク制御チャネルに関する参照信号に基づいて無線リンク品質を評価することができる。これにより、ビーム失敗発生時に、端末装置が依然として無線リンク品質を評価することができるため、通信システムは、下りリンク信号の伝送を迅速に調整して回復することができる。
【実施例６】
【０１１９】
本実施例ではさらに無線リンク品質を評価する装置が提供され、該装置は端末装置に配置される。
【０１２０】
図９は本実施例において無線リンク品質を評価する装置を示す図である。図９に示すように、該無線リンク品質を評価する装置９００は第一評価ユニット９０１及び第二評価ユニット９０２を含む。該第一評価ユニット９０１の実施方式は実施例４の第一評価ユニット７０１と同じであり、該第二評価ユニット９０２の実施方式は実施例５の第二評価ユニット８０１と同じである。そのため、実施例４及び実施例５の内容がここに合併され、ここではその詳しい説明を省略する。
【０１２１】
本実施例の装置により、端末装置は第一セルにおいて第一参照信号集合の中の下りリンクデータ伝送に関する参照信号に基づいて無線リンク品質を評価し、第二セルにおいて第二参照信号集合の中の下りリンク制御チャネルに関する参照信号に基づいて無線リンク品質を評価することができる。これにより、ビーム失敗発生時に、端末装置が依然として無線リンク品質を評価することができるため、通信システムは、下りリンク信号の伝送を迅速に調整して回復することができる。
【実施例７】
【０１２２】
本実施例ではパラメータ設定装置が提供され、該装置はネットワーク装置に配置される。該装置が問題を解決する原理が実施例３の方法と類似しているから、その具体的な実施については実施例３の方法の実施を参照することができる。よって、ここでは内容が同じである重複説明が省略される。
【０１２３】
図１０は本実施例におけるパラメータ設定装置を示す図である。図１０に示すように、該パラメータ設定装置１０００は以下のようなものを含む。
【０１２４】
第一設定ユニット１００１：端末装置のために第一参照信号集合を設定し、前記端末装置は第一セルにおいて第一参照信号集合の中の下りリンクデータ伝送に関する参照信号に基づいて無線リンク品質（ｒａｄｉｏ  ｌｉｎｋ  ｑｕａｌｉｔｙ）を評価（ａｓｓｅｓｓ）し、前記第一セルは下りリンク制御チャネルが設定されないセルであり、又は、前記第一セル以外の他のセルの制御信号によりスケジューリングされるセルである。
【０１２５】
本実施例では、図１０に示すように、該パラメータ設定装置１０００はさらに、以下のようなものを含んでも良い。
【０１２６】
第一送信ユニット１００２：前記第一参照信号集合の設定情報に基づいて、前記端末装置に、対応する参照信号を送信する。
【０１２７】
本実施例では、図１０に示すように、該パラメータ設定装置１０００はさらに、以下のようなものを含んでも良い。
【０１２８】
第二設定ユニット１００３：端末装置のために第二参照信号集合を設定し、前記端末装置は第二セルにおいて第二参照信号集合の中の下りリンク制御チャネルに関する参照信号に基づいて無線リンク品質を評価し、前記第二セルは下りリンク制御チャネルが設定されるセルであり、又は、自セルの制御信号によりスケジューリングされるセルである。
【０１２９】
本実施例では、図１０に示すように、該パラメータ設定装置１０００はさらに、以下のようなものを含んでも良い。
【０１３０】
第二送信ユニット１００４：前記第二参照信号集合の設定情報に基づいて、前記端末装置に、対応する参照信号を送信する。
【０１３１】
本実施例では、前記参照信号は、（ｆｏｒ  ｔｈｅ  ｐｕｒｐｏｓｅ  ｏｆ）ビーム失敗検出のための参照信号である。
【０１３２】
本実施例では、第一設定ユニット１００１及び第一送信ユニット１００２は独立して使用されても良く、第二設定ユニット１００３及び第二送信ユニット１００４は一緒に使用されても良い。また、同様に、第二設定ユニット１００３及び第二送信ユニット１００４は独立して使用されても良く、第一設定ユニット１００１及び第一送信ユニット１００２は一緒に使用されても良い。
【０１３３】
本実施例の装置により、端末装置は第一セルにおいて第一参照信号集合の中の下りリンクデータ伝送に関する参照信号に基づいて無線リンク品質を評価し、第二セルにおいて第二参照信号集合の中の下りリンク制御チャネルに関する参照信号に基づいて無線リンク品質を評価することができる。これにより、ビーム失敗発生時に、端末装置が依然として無線リンク品質を評価することができるため、通信システムは、下りリンク信号の伝送を迅速に調整して回復することができる。
【実施例８】
【０１３４】
本発明の実施例ではさらに端末装置が提供され、該端末装置は実施例４又は５又は６に記載の装置を含む。
【０１３５】
図１１は本発明の実施例における端末装置を示す図である。図１１に示すように、該端末装置１１００は中央処理装置１１０１及び記憶器１１０２を含んでも良く、記憶器１１０２は中央処理装置１１０１に接続される。なお、該図は例示に過ぎず、さらに、他の類型の構造をもって、該構造に対して補充又は代替を行うことで、電気通信機能又は他の機能を実現しても良い。
【０１３６】
１つの実施方において、実施例４又は５又は６に記載の装置の機能が中央処理装置１１０１に統合され、中央処理装置１１０１により実施例４又は５又は６に記載の装置の機能を実現しても良く、そのうち、実施例４又は５又は６に記載の装置の機能がここに合併され、ここではその詳しい説明を省略する。
【０１３７】
もう１つの実施方式において、実施例４又は５又は６に記載の装置が中央処理装置１１０１と別々で配置されても良く、例えば、該実施例４又は５又は６に記載の装置を、中央処理装置１１０１に接続されるチップとして構成し、中央処理装置１１０１の制御により該実施例４又は５又は６に記載の装置の機能を実現しても良い。
【０１３８】
図１１に示すように、該端末装置１１００はさら、通信モジュール１１０３、入力ユニット１１０４、音声処理ユニット１１０５、表示器１１０６、電源１１０７などを含んでも良い。なお、端末装置１１００は図１１に示す全部の部品を含む必要がない。また、端末装置１１００はさらに、図１１に無い部品を含んでも良いが、これについては従来技術を参照することができる。
【０１３９】
図１１に示すように、中央処理装置１１０１は制御器又は操作コントローラと称される場合があり、マイクロプロセッサ又は他の処理器装置及び／又は論理装置を含んでも良く、該中央処理装置１１０１は入力を受信して端末装置１１００の各部品の操作を制御することができる。
【０１４０】
そのうち、記憶器１１０２は例えば、バッファ、フレッシュメモリ、ＨＤＤ、可移動媒体、揮発性記憶器、不揮発性記憶器又は他の適切な装置のうちの１つ又は複数であっても良く、上述の設定に関する情報を記憶することができる。また、コンピュータプログラムをさらに記憶しても良い。中央処理装置１１０１は該記憶器１１０２に記憶された該プログラムを実行して情報の記憶又は処理などを実現することができる。なお、他の部品の機能が従来と類似したので、ここではその詳しい説明を省略する。また、端末装置１１００の各部品は専用ハードウェア、ファームウェア、ソフトウェア又はその組み合わせにより実現されても良いが、そのすべては本発明の範囲に属する。
【０１４１】
本実施例の端末装置により、端末装置は第一セルにおいて第一参照信号集合の中の下りリンクデータ伝送に関する参照信号に基づいて無線リンク品質を評価することができる。また、該端末装置は第二セルにおいて第二参照信号集合の中の下りリンク制御チャネルに関する参照信号に基づいて無線リンク品質を評価することができる。これにより、ビーム失敗発生時に、端末装置が依然として無線リンク品質を評価することができるため、通信システムは、下りリンク信号の伝送を迅速に調整して回復することができる。
【実施例９】
【０１４２】
本発明の実施例ではさらにネットワーク装置が提供され、該ネットワーク装置は実施例７に記載の装置を含む。
【０１４３】
図１２は本発明の実施例におけるネットワーク装置の１つの実施方式の構成図である。図１２に示すように、ネットワーク装置１２００は中央処理装置（ＣＰＵ）１２０１及び記憶器１２０２を含んでも良く、記憶器１２０２は中央処理装置１２０１に接続される。そのうち、該記憶器１２０２は各種のデータを記憶することができ、また、情報処理用のプログラムをさらに記憶することができ、且つ中央処理装置１２０１の制御下で該プログラムを実行することで、端末装置送信の各種の情報を受信したり、端末装置に各種の情報を送信したりすることもできる。
【０１４４】
１つの実施方において、実施例７に記載の装置の機能が中央処理装置１２０１に統合され、中央処理装置１２０１により実施例７に記載の装置の機能を実現しても良く、そのうち、実施例７に記載の装置の機能がここに合併され、ここではその詳しい説明を省略する。
【０１４５】
もう１つの実施方式において、実施例７に記載の装置が中央処理装置１２０１と別々で構成されても良く、例えば、該実施例７に記載の装置を、中央処理装置１２０１に接続されるチップとして構成し、中央処理装置１２０１の制御により該実施例７に記載の装置の機能を実現しても良い。
【０１４６】
また、図１２に示すように、ネットワーク装置１２００はさらに、送受信機１２０３、アンテナ１２０４などを含んでも良く、そのうち、これらの部品の機能が従来技術と同様であるため、ここではその詳しい説明を省略する。なお、ネットワーク装置１２００は図１２におけるすべての部品を含む必要がない。また、ネットワーク装置１２００はさらに、図１２に無い部品を含んでも良いが、これについては従来技術を参照することができる。
【０１４７】
本実施例のネットワーク装置により、端末装置は第一セルにおいて第一参照信号集合の中の下りリンクデータ伝送に関する参照信号に基づいて無線リンク品質を評価することができる。また、端末装置は第二セルにおいて第二参照信号集合の中の下りリンク制御チャネルに関する参照信号に基づいて無線リンク品質を評価することができる。これにより、ビーム失敗発生時に、端末装置が依然として無線リンク品質を評価することができるため、通信システムは、下りリンク信号の伝送を迅速に調整して回復することができる。
【実施例１０】
【０１４８】
本発明の実施例ではさらに通信システムが提供され、該通信システムはネットワーク装置及び端末装置を含み、ネットワーク装置は例えば、実施例９に記載のネットワーク装置１２００であり、端末装置は例えば、実施例８に記載の端末装置１１００である。
【０１４９】
本実施例では、該端末装置は例えば、ｇＮＢがサービングするＵＥであっても良く、それは、実施例８に記載のように、実施例３又は４又は５に記載の装置の機能以外に、さらに端末装置の通常の構成及び機能を含んでも良いが、ここではその詳しい説明を省略する。
【０１５０】
本実施例では、該ネットワーク装置は例えば、ＮＲにおけるｇＮＢであっても良く、それは、実施例９に記載のように、実施例６に記載の装置の機能以外に、さらにネットワーク装置の通常の構成及び機能を含んでも良いが、ここではその詳しい説明を省略する。
【０１５１】
本実施例の通信システムにより、端末装置は第一セルにおいて第一参照信号集合の中の下りリンクデータ伝送に関する参照信号に基づいて無線リンク品質を評価することができる。また、端末装置は第二セルにおいて第二参照信号集合の中の下りリンク制御チャネルに関する参照信号に基づいて無線リンク品質を評価することができる。これにより、ビーム失敗発生時に、端末装置が依然として無線リンク品質を評価することができるため、通信システムは、下りリンク信号の伝送を迅速に調整して回復することができる。
【０１５２】
本発明の実施例ではさらにコンピュータ可読プログラムが提供され、端末装置中で前記プログラムを実行するときに、前記プログラムはコンピュータに、前記端末装置中で実施例１又は２に記載の方法を実行させる。
【０１５３】
本発明の実施例はさらにコンピュータ可読プログラムを記憶した記憶媒体を提供し、そのうち、前記コンピュータ可読プログラムはコンピュータに、端末装置中で実施例１又は２に記載の方法を実行させる。
【０１５４】
本発明の実施例はさらにコンピュータ可読プログラムを提供し、そのうち、ネットワーク装置中で前記プログラムを実行するときに、前記プログラムはコンピュータに、前記ネットワーク装置中で実施例３に記載の方法を実行させる。
【０１５５】
本発明の実施例ではコンピュータ可読プログラムを記憶した記憶媒体が提供され、前記コンピュータ可読プログラムはコンピュータに、ネットワーク装置中で実施例３に記載の方法を実行させる。
【０１５６】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、ＦＰＧＡ（Ｆｉｅｌｄ  Ｐｒｏｇｒａｍｍａｂｌｅ  Ｇａｔｅ  Ａｒｒａｙ）、マイクロプロセッサ、コンピュータに用いる処理器などであっても良い。本発明は、さらに、上述のプログラムを記憶した記憶媒体、例えば、ハードディスク、磁気ディスク、光ハードディスク、ＤＶＤ、フラッシュメモリなどにも関する。
【０１５７】
さらに、図面に記載の機能ブロックのうちの１つ又は複数の組み合わせ及び／又は機能ブロックの１つ又は複数の組み合わせは、本明細書に記載の機能を実行するための汎用処理器、デジタル信号処理器（ＤＳＰ）、特定用途向け集積回路（ＡＳＩＣ）、フィールドプログラマブルゲートアレイ（ＦＰＧＡ）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、ＤＳＰ及びマイクロプロセッサの組み合わせ、複数のマイクロプロセッサ、ＤＳＰと通信により接続される１つ又は複数のマイクロプロセッサ又は他の任意の構成の組み合わせとして構成されても良い。
【０１５８】
以上、本発明の好ましい実施形態を説明したが、本発明はこのような実施形態に限定されず、本発明の趣旨を離脱しない限り、本発明に対するあらゆる変更は本発明の技術的範囲に属する。
【０１５９】
また、上述の実施例などに関し、さらに以下の付記を開示する。
【０１６０】
（付記１）
端末装置に配置される、無線リンク品質を評価する装置であって、
第一セルにおいて第一参照信号集合の中の下りリンクデータ伝送に関する参照信号に基づいて無線リンク品質を評価するための第一評価ユニットを含む、装置。
【０１６１】
（付記２）
付記１に記載の装置であって、
前記第一セルは下りリンク制御チャネルが設定されないセルであり、又は、前記第一セル以外の他のセルの制御信号によりスケジューリングされるセルである、装置。
【０１６２】
（付記３）
付記１又は２に記載の装置であって、
前記第一参照信号集合は上位層パラメータにより提供されるビーム失敗検出のための参照信号の集合であり、あるいは
前記第一参照信号集合は上位層パラメータにより提供されるビーム失敗検出のための参照信号の集合において下りリンクデータ伝送に関する参照信号と疑似コロケーション（ＱＣＬ）される参照信号の集合であり、又は、上位層パラメータにより提供されるビーム失敗検出のための参照信号の集合において下りリンクデータ伝送に関する参照信号と同じ索引を有する参照信号の集合である、装置。
【０１６３】
（付記４）
付記３に記載の装置であって、
前記端末装置に、ビーム失敗検出のための参照信号を指示する上位層パラメータが提供される、装置。
【０１６４】
（付記５）
付記１又は２に記載の装置であって、
前記第一参照信号集合は下りリンクデータ伝送に関する参照信号と疑似コロケーション（ＱＣＬ）される参照信号の集合、又は、下りリンクデータ伝送に関する参照信号と同じ索引を有する参照信号の集合である、装置。
【０１６５】
（付記６）
付記５に記載の装置であって、
前記端末装置に、ビーム失敗検出のための参照信号を指示する上位層パラメータが提供されない、装置。
【０１６６】
（付記７）
付記１−６のうちの任意の１項に記載の装置であって、
前記下りリンクデータ伝送に関する参照信号は、上位層パラメータにより設定されるＴＣＩ状態リストの中のＴＣＩ状態に対応する参照信号、又は、上位層シグナリングにより指示されるＴＣＩ状態に対応する参照信号であり、
あるいは、
前記端末装置が上位層シグナリングを受信している場合、前記下りリンクデータ伝送に関する参照信号は、前記上位層シグナリングにより指示されるＴＣＩ状態に対応する参照信号であり、前記端末装置が上位層信号を受信しない場合、前記下りリンクデータ伝送に関する参照信号は、上位層パラメータにより設定されるＴＣＩ状態リストの中のＴＣＩ状態に対応する参照信号であり、
あるいは、
前記端末装置が上位層シグナリングを受信している場合、前記下りリンクデータ伝送に関する参照信号は、前記上位層シグナリングにより指示されるＴＣＩ状態に対応する参照信号である、装置。
【０１６７】
（付記８）
付記７前記装置であって、
前記上位層シグナリングにより指示されるＴＣＩ状態とは、前記上位層シグナリングにより、下りリンク制御情報（ＤＣＩ）の伝送設定指示域のコードポイント（ｃｏｄｅｐｏｉｎｔ）にマッピングされるＴＣＩ状態を指す、装置。
【０１６８】
（付記９）
付記１−８のうちの任意の１項に記載の装置であって、
前記参照信号は周期的チャネル状態情報参照信号（ＣＳＩ−ＲＳ）又は同期信号／物理ブロードキャストチャネル（ＳＳ／ＰＢＣＨ）である、装置。
【０１６９】
（付記１０）
付記１又は２に記載の装置であって、
前記第一評価ユニットは前記参照信号に対しての測定結果と閾値の比較に基づいて無線リンク品質を評価する、装置。
【０１７０】
（付記１１）
付記１０に記載の装置であって、
前記閾値は第一パラメータ及び第二パラメータに関する閾値であり、前記第一パラメータは同期外れ指示を生成するためのブロックエラーレート（ＢＬＥＲ）であり、前記第二パラメータはＳＳ／ＰＢＣＨの参照信号受信パワー（ＲＳＲＰ）である、装置。
【０１７１】
（付記１２）
付記１０に記載の装置であって、
前記閾値は前記参照信号のＬ１層のＲＳＲＰの測定結果と比較するための閾値である、装置。
【０１７２】
（付記１３）
付記１２に記載の装置であって、
前記参照信号のＬ１層のＲＳＲＰの測定結果は、
ＳＳ／ＰＢＣＨのＬ１層のＲＳＲＰの測定結果；又は
上位層パラメータによりスケーリングされたＣＳＩ−ＲＳのＬ１層のＲＳＲＰの測定結果である、装置。
【０１７３】
（付記１４）
付記１に記載の装置であって、さらに、
第二セルにおいて第二参照信号集合の中の下りリンク制御チャネルに関する参照信号に基づいて無線リンク品質を評価するための第二評価ユニットを含む、装置。
【０１７４】
（付記１５）
付記１４に記載の装置であって、
前記第二セルは下りリンク制御チャネルが設定されるセルであり、又は、自セルの制御信号によりスケジューリングされるセルである、装置。
【０１７５】
（付記１６）
付記１４又は１５に記載の装置であって、
前記第二参照信号集合は上位層パラメータにより提供されるビーム失敗検出のための参照信号の集合である、装置。
【０１７６】
（付記１７）
付記１４又は１５に記載の装置であって、
前記第二参照信号集合は上位層パラメータにより提供されるビーム失敗検出のための参照信号の集合において下りリンク制御チャネルに関する参照信号ＱＣＬの参照信号の集合であり、又は、上位層パラメータにより提供されるビーム失敗検出のための参照信号の集合において下りリンク制御チャネルに関する参照信号と同じ索引を有する参照信号の集合である、装置。
【０１７７】
（付記１８）
付記１６又は１７に記載の装置であって、
前記端末装置に、ビーム失敗検出のための参照信号を指示する上位層パラメータが提供される、装置。
【０１７８】
（付記１９）
付記１４又は１５に記載の装置であって、
前記第二参照信号集合は、下りリンク制御チャネルに関する参照信号と疑似コロケーション（ＱＣＬ）される参照信号の集合であり、又は、下りリンク制御チャネルに関する参照信号と同じ索引を有する参照信号の集合である、装置。
【０１７９】
（付記２０）
付記１９に記載の装置であって、
前記端末装置に、ビーム失敗検出のための参照信号を指示する上位層パラメータが提供されない、装置。
【０１８０】
（付記２１）
付記１４−２０のうちの任意の１項に記載の装置であって、
前記下りリンク制御チャネルに関する参照信号は、
端末装置が制御チャネルを監視するに使用するＤＭ−ＲＳ；又は
端末装置が制御チャネルを監視するに使用するＣＯＲＥＳＥＴに対応するＴＣＩ状態により指示される参照信号である、装置。
【０１８１】
（付記２２）
付記１４−２１のうちの任意の１項に記載の装置であって、
前記参照信号は周期性のチャネル状態情報参照信号（ＣＳＩ−ＲＳ）又は同期信号／物理ブロードキャストチャネル（ＳＳ／ＰＢＣＨ）である、装置。
【０１８２】
（付記２３）
付記１４又は１５に記載の装置であって、
前記第二評価ユニットは前記参照信号に対する測定結果と閾値の比較に基づいて無線リンク品質を評価する、装置。
【０１８３】
（付記２４）
付記２３に記載の装置であって、
前記閾値は第一パラメータ及び第二パラメータに関する閾値であり、前記第一パラメータは同期外れ指示を生成するためのブロックエラーレート（ＢＬＥＲ）であり、前記第二パラメータはＳＳ／ＰＢＣＨの参照信号受信パワー（ＲＳＲＰ）である、装置。
【０１８４】
（付記２５）
付記２３に記載の装置であって、
前記閾値は前記参照信号のＬ１層のＲＳＲＰの測定結果と比較するための閾値である、装置。
【０１８５】
（付記２６）
付記２５に記載の装置であって、
前記参照信号のＬ１層のＲＳＲＰの測定結果は、
ＳＳ／ＰＢＣＨのＬ１層のＲＳＲＰの測定結果；又は
上位層パラメータによりスケーリングされたＣＳＩ−ＲＳのＬ１層のＲＳＲＰの測定結果である、装置。
【０１８６】
（付記２７）
ネットワーク装置に配置されるパラメータ設定装置であって、
端末装置のために第一参照信号集合を設定するための第一設定ユニットを含み、
前記端末装置は第一セルにおいて第一参照信号集合の中の下りリンクデータ伝送に関する参照信号に基づいて無線リンク品質（ｒａｄｉｏ  ｌｉｎｋ  ｑｕａｌｉｔｙ）を評価（ａｓｓｅｓｓ）し、前記第一セルは下りリンク制御チャネルが設定されないセルであり、又は、前記第一セル以外の他のセルの制御信号によりスケジューリングされるセルである、装置。
【０１８７】
（付記２８）
付記２７に記載の装置であって、さらに、
前記第一参照信号集合の設定情報に基づいて前記端末装置に、対応する参照信号を送信するための第一送信ユニットを含む、装置。
【０１８８】
（付記２９）
付記２７又は２８に記載の装置であって、さらに、
端末装置のために第二参照信号集合を設定するための第二設定ユニットを含み、
前記端末装置は第二セルにおいて第二参照信号集合の中の下りリンク制御チャネルに関する参照信号に基づいて無線リンク品質を評価し、前記第二セルは下りリンク制御チャネルが設定されるセルであり、又は、自セルの制御信号によりスケジューリングされるセルである、装置。
【０１８９】
（付記３０）
付記２９に記載の装置であって、さらに、
前記第二参照信号集合の設定情報に基づいて前記端末装置に、対応する参照信号を送信するための第二送信ユニットを含む、装置。
【０１９０】
（付記３１）
付記２７−３０のうちの任意の１項に記載の装置であって、
前記参照信号は（ｆｏｒ  ｔｈｅ  ｐｕｒｐｏｓｅ  ｏｆ）ビーム失敗検出のための参照信号である、装置。
【図１】
2021535650.tif 000003
【図２】
2021535650.tif 000004
【図３】
2021535650.tif 000005
【図４】
2021535650.tif 000006
【図５】
2021535650.tif 000007
【図６】
2021535650.tif 000008
【図７】
2021535650.tif 000009
【図８】
2021535650.tif 000010
【図９】
2021535650.tif 000011
【図１０】
2021535650.tif 000012
【図１１】
2021535650.tif 000013
【図１２】
2021535650.tif 000014
【国際調査報告】
2021535650.tif 000015
2021535650.tif 000016
2021535650.tif 000017
2021535650.tif 000018
2021535650.tif 000019